(57)【要約】【課題】  デジタル・データベースを共有するための方法およびシステムを提供する。【解決手段】  デジタル・データベースを共有するためのシステムは、クライアントプラットフォームと、サーバープラットフォームと、ネットワークとを有する。該クライアントプラットフォームのデータベースは、該サーバープラットフォームのデータベースと同一のデータフォーマットを有する。且つネットワークを経由し、該クライアントプラットフォームと該サーバープラットフォームの間のデータベースの共有が行われ、そのことによりデジタルデータによって占有される記憶容量が低減される。【選択図】    図２
2006323736.tif 000002
【特許請求の範囲】
【請求項１】
データベースを有するクライアントプラットフォームに適用されるデジタル・データベースを共有する方法であって、
問合せインタフェースを起動するステップと
問合せ情報を入力するステップと、
クライアントプラットフォームのデータベースが問合せ情報を含むか否かを確認するステップと、
クライアントプラットフォームのデータベースと同じデータフォーマットを有するサーバーデータベースを持つサーバープラットフォームのネットワークを通して接続するステップと、
データ要求信号を発信し、サーバープラットフォームへ伝送するステップと、
サーバーデータベースを検索し、検索結果信号を発生するステップと
を含むデジタル・データベースを共有するための方法。
【請求項２】
前記ネットワークを通してクライアントプラットフォームに関するデータベースと同じデータの形式を持っているサーバーデータベースを持っているサーバプラットフォームをつなげるステップは、ローカルサーバプラットフォームをつなげていることを特徴とする請求項１に記載のデジタル・データベースを共有するための方法。
【請求項３】
前記データ要求信号のデータフォーマットは、信号開始記号、クライアント番号、サーバー番号、問合せ情報、信号終了記号を有することを特徴とする請求項１に記載のデジタル・データベースを共有するための方法。
【請求項４】
前記検索結果信号のデータフォーマットが、信号開始記号、 クライアント番号、サーバー番号、問合せ情報、信号終了記号を含むことを特徴とする請求項１に記載のデジタル・データベースを共有するための方法。
【請求項５】
前記問合せ情報はキーワードであることを特徴とする請求項１に記載のデジタル・データベースを共有するための方法。
【請求項６】
前記ネットワークが、伝送プロトコルにより形成された無線ローカルネットワークを含むことを特徴とする請求項１に記載のデジタル・データベースを共有するための方法。
【請求項７】
前記伝送プロトコルは、赤外線無線伝送プロトコル、またはブルートゥース、またはIEEE802.11a規格、またはIEEE802.11b規格、またはHome RFを含むことを特徴とする請求項６に記載のデジタル・データベースを共有するための方法。
【請求項８】
クライアントデータベースを有するクライアントプラットフォームと、
ネットワークと、 
クライアントプラットフォームにネットワーク経由で接続されており、クライアントデータベースと同一のデータフォーマットを有するサーバーデータベースを持つサーバープラットフォームと、
を含んでおり、
さらに該クライアントプラットフォームがデータ要求信号をサーバープラットフォームに対して発信するように動作し、該サーバープラットフォームがデータ要求信号に応答してサーバーデータベースを検索し、検索結果信号を発生することを特徴とするデジタル・データベースを共有するシステム。
【請求項９】
前記データ要求のデータフォーマットは、信号開始記号、クライアント番号、サーバー番号、問合せ情報、信号終了記号を含むこと特徴とする請求項８に記載のデジタル・データベースを共有するためのシステム。
【請求項１０】
前記検索結果信号のデータフォーマットは、信号開始記号、クライアント番号、サーバー番号、問合せ情報、信号終了記号を含むこと特徴とする請求項８に記載のデジタル・データベースを共有するためのシステム。
【請求項１１】
前記ネットワークが、伝送プロトコルにより形成された無線ローカルネットワークであること特徴とする請求項８に記載のデジタル・データベースを共有するためのシステム。
【請求項１２】
前記伝送プロトコルは赤外線無線伝送プロトコル、またはブルートゥースプロトコル、またはIEEE802.11a規格、またはIEEE802.11b規格、またはHome RFを含む請求項１１に記載のデジタル・データベースを共有するためのシステム。
【発明の詳細な説明】
【技術分野】
【０００１】
本発明は、データベースを共有する方法とシステムに関するものであり、さらに特にデジタル・データベースを共有する方法とシステムに関するものである。
【背景技術】
【０００２】
現代の技術により、データ管理の方法は人間のために変化してきている。従来の紙のデータは、デジタル化して記憶、更新、分類する方法に置き換えられてきている。デジタル処理、編集、記憶により、データは瞬時に検索が可能である。データ通信もまた向上して制限のない共有化が可能となる。
【０００３】
現在は、ソフトウェアによって要件が異なることに基づき各コンピュータには特有のデジタル・データベースがロードされている。結果として、同一デジタルデータでも様々な異なるコンピュータに記憶保管されてしまうことになるかも知れない。異なるソフトウェアプログラムに使用されたデジタルデータは同期して更新することができない。例えば、多くの教育あるいは翻訳のソフトウェアプログラムには辞書データベースが必要である。しかし異なったプラットフォームに対しては異なったデータベースが提供されなければならない。これは多くの記憶容量を無駄に使用し、データの更新や共有に対して不都合となる。
【発明の開示】
【発明が解決しようとする課題】
【０００４】
前述の問題に鑑み、本発明はデジタル・データベースを共有するための方法およびシステムを提供する。
【課題を解決するための手段】
【０００５】
上記の課題を解決するために、データベースを有するクライアントプラットフォームに適用されるデジタル・データベースを共有する方法には、問合せインタフェースの作動、問合せ情報の入力、クライアントプラットフォームのデータベースが問合せ情報を含んでいないことの確認、クライアントプラットフォームのデータベースと同じデータフォーマットを有するサーバーデータベースを持つサーバープラットフォームのネットワークを通しての接続、データ要求信号の発信とサーバープラットフォームへの伝送、サーバーデータベースの検索が含まれる。
さらに、デジタル・データベースを共有するためのシステムには、クライアントデータベースを有するクライアントプラットフォーム、ネットワーク、クライアントデータベースと同じデータフォーマットを有するサーバーデータベースを持つサーバープラットフォームであってそのサーバープラットフォームがそのネットワークを経由してクライアントプラットフォームに接続されているものが含まれている。クライアントプラットフォームはデータ要求信号をサーバープラットフォームに対して発信するように動作し、サーバープラットフォームはデータ要求信号に応答して検索結果信号をクライアントプラットフォームに対して発信するように動作する。
【発明の効果】
【０００６】
本発明のデジタル・データベースを共有するための方法およびシステムは、同一データフォーマットのデータベースを複数のプラットフォームが使用できるようにして、それによりデータベースがネットワークを通じて共有され、データ記憶容量を最小化することが可能となる。
本発明は以下の詳細な説明からより十分に理解できるであろうが、それは例証のためのみであり、そうすることで本発明を限定するものではない。
【発明を実施するための最良の形態】
【０００７】
本発明のデジタル・データベースを共有するための方法およびシステムは、同一データフォーマットのデジタル・データベースを使用することにより、デジタル・データベースを共有するという目的を達成する。つまり、極めて少数あるいは1つだけの大きなサーバーデータベースを有するサーバープラットフォームを保持することで、複数の個々のクライアントプラットフォームがそのデータベースを共有することが可能となる。
【０００８】
図１に示すように、本発明のデジタル・データベースを共有するためのシステムは、複数のクライアントプラットフォーム110、サーバープラットフォーム120、ネットワーク130を含んでいる。クライアントプラットフォーム110はサーバープラットフォーム120と同じデータフォーマットのデータベースを有する。ネットワーク130との接続を経由して、そのデータはクライアントプラットフォーム110 とサーバープラットフォーム120の間で共有されている。クライアントプラットフォーム110 は、有線あるいは無線ネットワークにより接続された、携帯電話、ラップトップコンピュータ、電子辞書、その他の電子機器を含む。サーバープラットフォーム 120はクライアントプラットフォーム110と同じデータフォーマットを有するネットワークサーバーあるいは電子機器を含む。そのネットワークは、例えば赤外線無線伝送プロトコル、ブルートゥース、IEEE802.11a規格、IEEE802.11b規格、Home RFなどの伝送プロトコルに基づく無線ローカルネットワークを含む。
【０００９】
電子辞書の例では、照会（問い合わせ）はキーワード情報で行われる。データベースの共有方法は上記で述べたシステムを実行することで行われる。図２に示すように、ステップ 210では照会のインタフェースが作動され、ステップ220では照会用キーワードが入力される。ステップ 230においてデータベースにそのキーワードが見つからない時は、ステップ 240においてサーバーデータベースを有するサーバープラットフォームが提供される。データ要求信号が発信されサーバープラットフォームに伝送され、ステップ250においてサーバーデータベースで検索される。そして検索結果を伝える検索結果信号が、ステップ260においてサーバープラットフォームから発信される。サーバープラットフォームを提供するステップでは、まずはローカルサーバープラットフォームを提供することになる。
【００１０】
データ要求信号は、信号開始記号、クライアント番号、サーバー番号、問合せ情報、信号終了記号を含むデータフォーマットを有することが望ましい。検索結果信号は、信号開始記号、クライアント番号、サーバー番号、問合せ情報、情報結果、信号終了記号を含むデータフォーマットを有することが望ましい。
【００１１】
さらに、上記の実施例はクライアントプラットフォームの動作フローではあるが、システムを共有する上記のデジタル・データベースはサーバープラットフォームおよびクライアントプラットフォームを含む。実際には、そのプロセスにはサーバープラットフォームとクライアントプラットフォームの間の相互作用が必要とされる。図３においては、サーバープラットフォームにおける動作フローが示されている。サーバープラットフォームはネットワークを経由してクライアントプラットフォームに接続されている。ステップ310において、データ要求信号が受けられる。データ要求信号には、問合せキーワードが含まれている。ステップ320において、クライアントプラットフォームのデータフォーマットがサーバープラットフォームのそれと同一かどうかが確認される。データフォーマットが同一の時は、ステップ 330においてその問合せキーワードに基づきサーバーデータベースが検索される。そして検索結果が得られ、ステップ 340において検索結果信号が発信される。そしてその検索結果信号は、ステップ350においてクライアントプラットフォームに伝送される。
【００１２】
当業者には、特定の変更が行えることは明白であり、それらの変更はこのクレームされた発明の意図や範囲に含まれていると見なされる。
【図面の簡単な説明】
【００１３】
【図１】デジタル・データベースを共有するためのシステムを示すものである。
【図２】デジタル・データベースを共有するための方法のフローチャートである。
【図３】サーバープラットフォームの動作フローである。
【符号の説明】
【００１４】
１１０  クライアントプラットフォーム
１２０  サーバープラットフォーム
１３０  ネットワーク
【図２】
2006323736.tif 000003
【図３】
2006323736.tif 000004
【図１】
2006323736.tif 000005